(57)【特許請求の範囲】
【請求項１】
吸液性を有する液吸収マットと、
液透過性を有する液透過パネルと、を備える動物用システムトイレであって、
前記液透過パネルは、テーバーこわさ試験機法（ＪＩＳ  Ｐ８１２５）によって測定した剛性が０．１ｍＮ・ｍ以上であり、
前記液吸収マットと前記液透過パネルとの間の静止摩擦力が１．２Ｎ以上であり、
前記液透過パネルは、前記液吸収マットの上面に当接して載置され、
前記液透過パネルは、該液透過パネルの厚さ方向に貫通する複数の孔部を有し、液が前記複数の孔部を通って前記液透過パネルの厚さ方向に透過する段ボール紙からなることを特徴とする動物用システムトイレ。
【請求項２】
前記液吸収マットの上面と前記液透過パネルの下面とが密着していることを特徴とする請求項１に記載の動物用システムトイレ。
【請求項３】
前記液吸収マットは、平板状のマットであり、
嵩密度が０．０５ｇ／ｃｍ３以上０．３ｇ／ｃｍ３以下であり、
厚みが３ｍｍ以上３０ｍｍ以下であることを特徴とする、請求項１又は２に記載の動物用システムトイレ。
【請求項４】
前記液吸収マットの前記液透過パネルと対向する上面は、平坦面により構成され、
前記液透過パネルの前記液吸収マットと対向する下面は、該液透過パネルにおける該下面側の端部が同一水平面状に揃って位置する平坦な面により構成されることを特徴とする請求項１から３いずれかに記載の動物用システムトイレ。
【請求項５】
前記液吸収マットを収容する収容受け皿を備える、請求項１から４いずれかに記載の動物用システムトイレ。
【発明の詳細な説明】
【技術分野】
【０００１】
本発明は、犬やネコ等の動物に用いられる動物用システムトイレに関する。
【背景技術】
【０００２】
従来、室内で飼育する動物の排泄物の処理にあたっては、室内に設置できる動物用トイレが使用されている。例えば、尿を吸収する吸収シートを、その外周を押さえる外枠により固定した動物用トイレが提案されている（特許文献１参照）。
【０００３】
以上のような動物用トイレにおいては、動物が排泄物を吸収保持する吸収シート上に直接乗って排泄を行うため、吸収シートからの排泄物の逆戻りによる動物の足裏の汚染が避けられず、不衛生であった。そこで、吸収シートからの排泄物の逆戻りを防ぐために、浅底の収容受け皿状の受け皿と、この受け皿に収容される板状の吸収マットと、この吸収マットを被覆する液透過性の開孔フィルムと、を備える動物用システムトイレが提案されている（特許文献２参照）。
【０００４】
しかしながら、動物が直接乗る部分に、低剛性の開孔フィルムを用いる上記の動物用システムトイレでは、犬が勢いよくトイレに入ったり、排泄時の犬の習性により排泄前にトイレの中で周回運動を行ったりすることで、開孔フィルムが吸収マットからずれてしまったり、「よれ」や「めくれ」が発生することが多かった。
【０００５】
特許文献２で提案された動物用システムトイレでは、開孔フィルムの「ずれ」、「よれ」及び「めくれ」の発生を防止するために、受け皿の周縁部に更に係合部材を設け、開孔フィルムと吸収シートとを固定している。しかしながら、吸収マットに液を十分に吸収させるためには、可撓性を有する開孔フィルムの皺を完全に伸ばしてから吸収マットを被覆する必要がある。そのため、特許文献２で提案された動物用システムトイレは、開孔フィルムの交換作業に手間がかかるという問題があった。
【先行技術文献】
【特許文献】
【０００６】
【特許文献１】特許第３６０９８５５号公報
【特許文献２】特開２００３−１５３６３９号公報
【発明の概要】
【発明が解決しようとする課題】
【０００７】
従って、本発明は、動物が直接乗る部分に載置される部材の交換作業の作業性を損なうことなく、当該部材の「ずれ」、「よれ」及び「めくれ」が発生しない動物用システムトイレを提供することを目的とする。
【課題を解決するための手段】
【０００８】
本発明は、吸液性を有する液吸収マットと、液透過性を有する液透過パネルと、を備える動物用システムトイレであって、前記液透過パネルは、テーバーこわさ試験機法（ＪＩＳ  Ｐ８１２５）によって測定した剛性が０．１ｍＮ・ｍ以上であり、前記液吸収マットと前記液透過パネルとの間の静止摩擦力が１．２Ｎ以上であり、前記液透過パネルは、前記液吸収マットの上面に当接して載置されていることを特徴とする動物用システムトイレに関する。
尚、本明細書において静止摩擦力という場合、下記（１）〜（５）の方法により測定した静止摩擦力のことをいうものとする。
（１）１５ｃｍ×２０ｃｍの液吸収マットを水平な台に接着する。
（２）該液吸収マットの上面に６５ｍｍ×６５ｍｍの液透過パネルを載置する。
（３）該液透過パネルの上面に２００ｇの重りを接着し、該重りとデジタルフォースゲージとを連結する。
（４）前記台を１５５ｍｍ／ｍｉｎの速度で水平方向に牽引する。
（５）前記液吸収マットが動き出す際の静止摩擦力をデジタルフォースゲージで測定した値を液吸収マットと液透過パネルとの間の静止摩擦力とする。
【０００９】
また、前記液透過パネルは、該液透過パネルの厚さ方向に貫通する複数の孔部を有し、液が前記複数の孔部を通って前記液透過パネルの厚さ方向に透過する段ボール紙からなることが好ましい。
【００１０】
また、前記液吸収マットの上面と前記液透過パネルの下面とが密着していることが好ましい。
【００１１】
また、前記液吸収マットは、平板状のマットであり、嵩密度が０．０５ｇ／ｃｍ３以上０．３ｇ／ｃｍ３以下であり、厚みが３ｍｍ以上３０ｍｍ以下であることが好ましい。
【００１２】
前記液吸収マットの前記液透過パネルと対向する上面は、平坦面により構成され、前記液透過パネルの前記液吸収マットと対向する下面は、該液透過パネルにおける該下面側の端部が同一水平面状に揃って位置する平坦な面により構成されることが好ましい。
【００１３】
また、前記動物用システムトイレは、前記液吸収マットを収容する収容受け皿を備えることが好ましい。
【発明の効果】
【００１４】
本発明の動物用システムトイレによれば、動物が直接乗る部分に載置される液透過部材の「ずれ」、「よれ」及び「めくれ」が発生しにくいため、手間をかけずに衛生的に動物用システムトイレを使用することができる。
【図面の簡単な説明】
【００１５】
【図１】本発明の第１実施形態に係る動物用システムトイレの斜視図である。
【図２】図１に示す動物用システムトイレの分解斜視図である。
【図３】図１の、Ａ−Ａ線における断面図である。
【図４】図１に示す動物用システムトイレに用いる液透過パネルの平面図である。
【図５】図４のＢ−Ｂ線における断面図である。
【図６Ａ】液吸収マット４及び液透過パネル３の部分拡大断面図である。
【図６Ｂ】液吸収マット４に液透過パネル３が載置されてなる積層体の部分拡大断面図である。
【発明を実施するための形態】
【００１６】
以下、本発明の動物用システムトイレの好ましい実施形態につき図面を参照しながら説明する。図１は、本発明の第１実施形態に係る動物用システムトイレ１の斜視図であり、図２は、動物用システムトイレ１の分解斜視図である。図３は、図１のＡ−Ａ線断面図である。図４は、図１に示す動物用システムトイレに用いる液透過パネルの部分拡大平面図である。図５は、図４のＢ−Ｂ線における断面図である。図６Ａは、液吸収マット４及び液透過パネル３の部分拡大断面図である。図６Ｂは、液吸収マット４に液透過パネル３が載置されてなる積層体の部分拡大断面図である。
【００１７】
本実施形態の動物用システムトイレ１は、図１、図２及び３に示すように、液吸収マット４を収容可能な収容受け皿２と、尿等の排泄物を吸収保持する液吸収マット４と、排泄物を透過し液吸収マット４からの尿等の逆戻りを防ぐ液透過パネル３とを備える。液吸収マット４は収容受け皿２に収容され、液透過パネル３は液吸収マット４の上面の略全域を覆って当接して載置される。
【００１８】
まず、動物用システムトイレ１を構成する部材のうち、液透過パネル３について、図４及び図５を参照しながら説明する。液透過パネル３は液透過性を有し、テーバーこわさ試験機法（ＪＩＳ  Ｐ８１２５）によって測定した場合の剛性が０．１ｍＮ・ｍ以上である平板状のパネルである。
【００１９】
液透過パネル３の厚さは、３〜２５ｍｍに構成され、３〜１０ｍｍであることが好ましく、３〜７ｍｍであることがより好ましい。液透過パネル３の厚さが３ｍｍ未満の場合には剛性を０．１ｍＮ・ｍ以上とすることが難しいため好ましくない。液透過パネル３の厚さが２５ｍｍを超える場合には、動物用システムトイレ１における収容受け皿２の下端部から液透過パネル３の上面までの高さが高すぎて犬等が液透過パネル３の上面に乗りにくくなるため好ましくない。
【００２０】
また、液透過パネル３は、図４及び図５に示すように、波板状シート３２と平板状シート３３により連続的に形成される壁部と、この壁部により囲まれた空間により形成され厚さ方向に貫通する複数の孔部３１を備える開孔パネルである。
【００２１】
液透過パネル３の複数の孔部３１の開口部の平均面積は、１０〜１００ｍｍ２／個であることが好ましく、１５〜６０ｍｍ２／個であることがより好ましい。孔部３１の開口部の平均面積が小さすぎると、液透過パネル３に付着する尿の量が増えて足濡れを抑制しにくい。また、孔部３１の開口部の平均面積が広すぎると、液透過パネル３に十分な剛性を付与するために液透過パネル３を厚くする必要がある点で好ましくない。
【００２２】
複数の孔部３１を有する液透過パネル３の好ましい構造としては、ハニカム構造又はコルゲートハニカム構造が挙げられる。これらのパネルの中では、製造が容易で安価に入手可能であることからコルゲートハニカム構造のパネルがより好ましい。
【００２３】
コルゲートハニカム構造の液透過パネル３としては、例えば、孔部３１のサイズが５ｍｍで、厚み５ｍｍの積層ダンボールが例示できる。パネルの材質は、ＣＯＢＢ３０法（ＪＩＳ−Ｐ８１４０）で１０〜２０ｇ／ｍ２の吸収性を示す耐水原紙を材料とするパネルを例示できる。この吸収性範囲の吸収性を有するコルゲートハニカムパネルは、液透過性、遅吸水性及び濡れた際の強度、特に厚さ方向に対する高い圧縮強度を兼ね備えるため好ましい。
【００２４】
図４に示す通りコルゲートハニカム構造は、波板状シート３２及び平板状シート３３が厚さ方向に沿うように配置されると共に隣り合うシート部材が所定箇所で接合されて形成されている。また、図５に示すように、コルゲートハニカム構造は、液透過パネル３厚さ方向に貫通する複数の孔部３１を形成している。
【００２５】
なお、本実施形態において、液透過パネル３の波板状シート３２は曲線状のシートで構成されているが、波板状シート３２はジグザグに折り曲げられたシートにより構成されてもよい。また孔部３１の開口部の形状は、これらに限らず例えば六角形であってもよいし、円形であってもよい。開口部の大きさが前述した所定の範囲であり、厚さ方向に貫通する孔部であれば、任意の形状を適宜選択することができる。
【００２６】
図５に示す通り、液透過パネル３の下面３０１は平坦面である。平坦面とは、具体的には、波板状シート３２及び平板状シート３３の下面３０１側の端部が全て平坦な同一平面即ち下面３０１上に揃って位置している形状であることをいう。下面３０１が孔部３１の開口部を含んだ平坦面であることによって、後述する通り、液透過パネル３と液吸収マット４の間の静止摩擦力及び密着性を好ましい範囲とすることが可能となっている。
【００２７】
また、コルゲートハニカム構造のパネルは、厚さ方向に対する圧縮強度が大きいため、犬等の排泄時の荷重による厚さ方向の変形が起こりにくく、液吸収マット４からの排泄物の逆戻りが起こりにくい。
【００２８】
コルゲートハニカム構造の液透過パネル３は以下の方法により製造することができる。まず、波板状シート３２と平板状シート３３とを接合して片側ダンボール状の部材を得る。波板状シート３２の波型は、コルゲーターと呼ばれる機械で材料に付与することができる。次いで、得られた片側ダンボール状の部材を複数層積層すると共に、隣り合う層の部材を接合する。これにより、波板状シート３２と平板状シート３３とに囲まれた空間により複数の孔部３１が形成されたブロック状の部材が得られる。そして、得られたブロック状の部材を孔部３１の貫通方向と略垂直に所定の厚さでスライスする。これにより、図４及び図５に示す通り、複数の孔部３１が形成されたコルゲートハニカム構造の液透過パネル３が製造される。波板状シート３２と平板状シート３３とを接合する方法は、特に制限されず、接着剤による接合方法等の公知の接合方法から適宜選択できる。波板状シート３２と平板状シート３３とを接合する接着剤としては、例えば、酢酸ビニル系耐水性接着剤が挙げられる。
【００２９】
次に液吸収マット４について説明する。液吸収マット４は液吸収性を有し、嵩密度が０．０５ｇ／ｃｍ３以上０．３ｇ／ｃｍ３以下であり、厚みが３ｍｍ以上３０ｍｍ以下である平板状のマットである。嵩密度を３ｍｍ以上にし、且つ、厚みを３ｍｍ以上とすることにより、液吸収マット４を好ましい剛性を備える平板状のマットとすることができる。嵩密度が０．３ｇ／ｃｍ３を超えると、吸水性が低下するため好ましくなく、厚さが３０ｍｍを超えると、動物用システムトイレ１における収容受け皿２の下端部から液透過パネル３の上面までの高さが高すぎて犬等が液透過パネル３の上面に乗りにくくなるため好ましくない。なお、嵩密度は、次の方法により測定される。先ず、液吸収マット４から、縦６ｃｍ、横６ｃｍ、厚さ１ｃｍの試験片（体積３６ｃｍ３）を裁断する。次に、該試験片の重量を測定する。測定された重量から次式により嵩密度（ｇ／ｃｍ３）を算出する。
嵩密度（ｇ／ｃｍ３）＝重量（ｇ）／３６（ｃｍ３）
【００３０】
また、図６Ａに示す通り、液吸収マット４の上面４０１は平坦面である。上面４０１が平坦であることによって、後述する通り、液透過パネル３と液吸収マット４の間の静止摩擦力及び密着性を好ましい範囲とすることが可能となっている。
【００３１】
液吸収マット４を構成する材料として、パルプ等の木質繊維、セルロース等の成分を含有する植物性繊維、また粘土鉱物系材料を用いることができる。液吸収マット４は、植物性繊維若しくはパルプ又はこれらの混合物を好ましくは５０〜９５重量％、特に７０〜９０重量％含有することが、尿等の排泄物の吸収性及び消臭効果の向上の点、並びに必要な剛性を付与し得る点から好ましい。また、その他の成分として、抗菌性を有する界面活性剤を添加することが好ましい。これにより、尿等の吸収性が向上すると共に悪臭の発散が防止されて液吸収マット４を長期間使用できる。
【００３２】
液吸収マット４は、従来公知の乾式法或いは湿式法により製造することができる。例えば、乾式法により、基材とする植物性繊維等に、界面活性剤、及び繊維間結合剤であるバインダー等を混合して混合物とし、該混合物を所定形状の型枠に入れて板状物とし、該板状物に熱プレス処理を施した後、乾燥器等で該板状物を所望の含水率になるまで乾燥させて製造することができる。
【００３３】
次に、収容受け皿２について説明する。図２に示すように、収容受け皿２は、略正方形状の底面部２２と、この底面部の４辺それぞれから底面部２２に対して所定の角度で起立して配置される４つの側壁部２３と、を備える。収容受け皿２は、底面部２２及び４つの側壁部２３に囲まれた空間により形成される収容部２１に、液吸収マット４を収容する。液吸収マット４を床面に直接敷いて使うと、液吸収マット４の裏面から遺漏した排泄物によって床等が汚染されてしまうことがあるが、収容受け皿２を液吸収マット４の下に配置することにより、そのような汚染を防ぐことができる。
【００３４】
収容受け皿２は、木材、金属、プラスチック等の種々の材質を用いて構成できる。これらの材質の中では、尿等の排泄物が材料の内部に染み込むことによる臭気の発生の問題や、排泄物による腐食の問題がないことからプラスチックを用いるのが好ましい。
【００３５】
本実施形態において、液透過パネル３は剛性を有する平板状のパネルであり、その下面３０１は孔部３１の開口部を含む平坦面である。また、液吸収マット４は剛性を有する平板状のマットであり、その上面４０１は平坦面である。よって、図６Ｂに示す通り、液透過パネル３を液吸収マット４の上に載置した場合は、例えば別途の係合部材を用いたり或いは粘着性材料等を介することなく、上述の通りに載置するだけで、下面３０１と上面４０１は、孔部３１の開口部分を除いて隙間無く密着する。そのように密着した状態における液透過パネル３と液吸収マット４との間の静止摩擦力は１．２Ｎ以上となる。本実施形態に係る液透過パネル３と液吸収マット４との間の静止摩擦力の具体的な測定方法と測定結果については、後の実施例において詳しく説明する。
【００３６】
また、下面３０１と上面４０１の間が上記のように密着していることにより、排泄物が下面３０１と上面４０１の間に残留することもなくなり、残留した排泄物に起因する悪臭の発生を防ぐことができる。
【００３７】
以上の動物用システムトイレ１によれば、以下のような効果を奏する。
【００３８】
（１）動物用システムトイレ１を、吸液性を有する液吸収マット４と、液透過性を有する液透過パネル３と、を備え、液透過パネル３を液吸収マット４の上面に当接して載置する構成とした。そして、液透過パネル３の、テーバーこわさ試験機法（ＪＩＳ  Ｐ８１２５）によって測定した剛性を０．１ｍＮ・ｍ以上とした。これにより、液透過パネル３に犬等が乗ったときの液透過パネル３がよれたり、めくれたりしなくなる。また、液吸収マット４と液透過パネル３との間の静止摩擦力を１．２Ｎ以上とした。これにより、液透過パネル３上に犬等が乗ったときの液透過パネル３が液吸収マット４の上でずれなくなる。よって、交換時に液透過パネル３を係合部材や粘着性材料等により固定する必要がなく、液吸収マット４の上に単に載置するだけで交換できる。
【００３９】
（２）液透過パネル３を、液透過パネル３の厚さ方向に貫通する複数の孔部３１を有し、液が複数の孔部３１を通って液透過パネル３の厚さ方向に透過する段ボール紙からなるものとした。これにより、液透過性、剛性、及び液吸収マット４との間の静止摩擦力について好ましい特性を備える液透過パネル３を低コストで製造することができる。
【００４０】
（３）液吸収マット４の上面と液透過パネル３の下面とが密着しているものとした。これにより、液吸収マット４と液透過パネル３の間に排泄物が残留することを防ぐことができる。
【００４１】
（４）液吸収マット４を平板状のマットとし、嵩密度を０．０５ｇ／ｃｍ３以上０．３ｇ／ｃｍ３以下、厚みを３ｍｍ以上３０ｍｍ以下とした。これにより、液吸収マット４に犬等が乗ったときに液吸収マット４がよれなくなり、液透過パネル３を透過した排泄物を遺漏なく液吸収マット４に吸収することができる。
【００４２】
（５）液吸収マット４の液透過パネル３と対向する上面４０１は、平坦面により構成され、液透過パネル３の液吸収マット４と対向する下面３０１は、液透過パネル３における下面３０１側の端部が同一水平面状に揃って位置する平坦な面により構成されることとした。これにより、液吸収マット４が剛性を有するものである場合であっても、液吸収マット４と液透過パネル３との密着性が高まり、液吸収マット４と液透過パネル３の間に排泄物が残留することを防ぐことができる。
【００４３】
（６）動物用システムトイレ１は、液吸収マット４を収容する収容受け皿２を備える構成とした。これにより、液吸収マット４から排泄物が遺漏した場合でも、床等が汚染されることを防ぐことができる。
【００４４】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施例に記載されたものに限定されるものではない。
【００４５】
例えば、液透過パネル３は、所定の液透過性、剛性、及び液吸収マット４との間の静止摩擦力を備えるものであれば、上記実施形態において説明したコルゲートハニカム構造による開孔パネルに限らず、上記物性を有する他の様々な開孔パネルを液透過パネルとすることができる。例えば、厚さ方向に連続気泡を有することにより液透過性を備えるウレタンフォームからなるパネルを液透過パネルとして本発明の動物用システムトイレ１を構成することもできる。
【００４６】
また、液吸収マット４は、液透過パネル３との間に所定の静止摩擦力を備えるものであれば、吸水性の紙や不織布等で構成される柔軟製を有するシート状のものであってもよい。液吸収マット４がそのように柔軟性を有するシートである場合には、液透過パネル３の下面３０１が平坦であるときはもとより、たとえ下面３０１に微細な凹凸があったとしても液透過パネル３と液吸収マット４とを密着させることができる。
【００４７】
本発明の動物用システムトイレ１は、犬、猫、兎等のペットとして飼育される動物用のトイレとして使用でき、特に室内で飼育される犬用のトイレとして好適に使用できる。
【実施例】
【００４８】
以下、実施例に基づいて本発明をより詳細に説明するが、本発明はこれらの実施例によって限定されるものではない。
【００４９】
以下に記す方法に従い、紙製液透過パネル材料、ウレタン、開孔フィルム、フィルム、ろ紙、不織布からなる液透過性パネル試料及び液吸収マット試料を作成し、下記の試験を行った。試験の結果を表１、表２に記す。
【００５０】
実施例１：紙製液透過パネル：王子板紙（株）より入手可能なＯＮＢＳ耐水原紙（坪量１８０ｇ／ｍ２）を使用したＡフルート片側段ボールを積層させてカットし、図５のようなコルゲートハニカム構造に加工したもの。孔部の開口部の平均面積は１６ｍｍ２／個。
実施例２：ウレタン１：厚さ５ｍｍのウレタンフォーム（商品名「ＭＦ１３」、イノアック発泡品カンパニー製）
比較例１：開孔フィルム：坪量は２９．２ｇ／ｍ２の低密度ポリエチレン製の開孔フィルム。開孔端の径は０．４１ｍｍであり、開孔率は１４．９％。
比較例２：ウレタン２：厚さ３ｍｍのウレタンフォーム（商品名「ＭＦ１３」、イノアック発泡品カンパニー製）
比較例３：フィルム：ポリエチレンフィルム  １８．５ｇ／ｍ２
比較例４：ろ紙：ＪＩＳ  Ｐ３８０１に定められる２種
比較例５：不織布：１５ｇ／ｍ２目付のポリプロピレン製スパンボンド不織布
液吸収マットＡ：ストーン砕木パルプ、界面活性剤（ラウリルジメチルアミンオキサイドの２％水溶液、商品名「アンヒトール２０Ｎ」、花王株式会社製）、バインダー（タピオカデンプン、商品名「Ｚ−１００」、日澱化学株式会社製）からなる混合物より成型したシート状物を加熱プレスし、更に１０５℃で３時間乾燥して得た。
液吸収マットＢ：市販商品（商品名「デオシートレギュラー」、ユニ・チャーム株式会社製）を使用した。
【００５１】
〔剛性試験〕
テーバーこわさ試験機法（ＪＩＳ  Ｐ８１２５）により、上記各試料について剛性（こわさ）を測定した。測定は各試料につき、１０回ずつ行い、その平均値を算出した。結果を表１に示す。なお、評価についてはこわさが、０．１ｍＮ・ｍ以上のものを「よれ」の発生のしにくいものとして○、こわさが、０．０５ｍＮ・ｍ以上０．１ｍＮ・ｍ未満のものをやや「よれ」の発生しにくいものとして△、こわさが、０．０５ｍＮ・ｍ未満のものを「よれ」の発生しやすいものとして×とした。
【００５２】
【表１】
0005917820.tif 000002
【００５３】
〔静止摩擦力試験〕
静止摩擦力を以下（１）〜（６）の方法により測定した。
（１）１５ｃｍ×２０ｃｍにカットした液吸収マット試料を水平な台に接着する。
（２）液吸収マット試料の上面に６５ｍｍ×６５ｍｍにカットした液透過パネル試料を載置する。
（３）液透過パネル試料の上面に２００ｇの重りを接着し、重りとデジタルフォースゲージとを連結する。
（４）液吸収マット試料を１５５ｍｍ／ｍｉｎの速度で水平方向に牽引する。
（５）液吸収マット試料が動き出す際の静止摩擦力をデジタルフォースゲージで測定した値を液吸収マット試料と液透過パネル試料との間の静止摩擦力とした。
（６）以上、（１）〜（５）の手順を、液吸収マット試料Ａに対して、実施例１、２及び比較例１，３，４を、それぞれ組み合わせて行い、更に、液吸収マット試料Ｂに対して、実施例１、２及び比較例１，３，４をそれぞれ組み合わせて行った。
測定は各実施例及び比較例の試料につき、５回ずつ行い、その平均値を算出した。
結果を表２に示す。なお、評価については静止摩擦力が１．２Ｎ以上のものを「ずれ」の発生のしにくいものとして○、１．０Ｎ以上１．２Ｎ未満のものを、やや「ずれ」の発生しにくいものとして△、１．０Ｎ未満のものを「ずれ」の発生しやすいものとして×とした。
【００５４】
【表２】
0005917820.tif 000003
【００５５】
〔尿逆戻り試験〕
（１）液吸収マット試料Ａの上に実施例１、２及び比較例１、５の試料を載置し、人口尿を８ｃｃ／秒ｎ速度で、３０ｃｃを各試料の上部から注入する。
（２）注入開始から１分後に、試料上に５０ｇのろ紙と３．５ｋｇの重りを載せる。
（３）３０秒間加圧後、ろ紙を取り出し重量を測定する。
（４）その重量を人口尿注入前のろ紙の重量から引き、その差を逆戻り量として、測定した。
測定は各試料につき、３回ずつ行い、その平均値を算出した。結果を表３に示す。なお、評価については逆戻り量が０．０５ｇ未満のものを「逆戻り」の発生のしにくいものとして○、０．０５以上０．３ｇ未満のものを、やや「逆戻り」の発生しにくいものとして△、０．３ｇ以上のものを「逆戻り」の発生しやすいものとして×とした。
なお、人工尿は以下の組成のものを用いた。
尿素  ４００ｇ
塩化ナトリウム  １６０ｇ
硫酸マグネシウム（７水和物）  １６ｇ
塩化カルシウム（２水和物）  ６ｇ
以上を合計２０Ｌになるように水で調整する。調整液に、青色１号を２ｇ加え着色する。
【００５６】
【表３】
0005917820.tif 000004
【００５７】
表１から３より、実施例１、２の液透過パネルは動物用システムトイレに好適に用いることのできる剛性を有すること、及び、それらと本発明に係る液吸収マットとの組み合わせにより、好適な静止摩擦力及び吸液性能を得ることができ、それらを組み合わせて用いることにより、本発明の特有の効果を奏する動物用システムトイレが製造できることが分かる。
【符号の説明】
【００５８】
１    動物用システムトイレ
２    収容受け皿
３    液透過性パネル
３１  孔部
４    液吸収マット
【図１】
0005917820.tif 000005
【図２】
0005917820.tif 000006
【図３】
0005917820.tif 000007
【図４】
0005917820.tif 000008
【図５】
0005917820.tif 000009
【図６Ａ】
0005917820.tif 000010
【図６Ｂ】
0005917820.tif 000011